(57)【要約】【課題】紙箱の上面の蓋部を形成する段差半切れ線の半切れ線間が、製箱工程や流通過程で層間剥離しにくく、半切れ線の近傍に折り線が形成されても、打抜き工程や製箱工程で段差半切れ線の半切れ線間が層間剥離しにくく、また、紙箱を開封するときに、蓋部の開封力を使用目的に合わせて設定しやすいトップオープン型紙箱を提供する。【解決手段】方形の紙箱であって、前側面外板に開封用摘み片を破断可能な破線切込み線で形成し、開封用摘み片の輪郭線の上方左右両端から上面板に延設して、上面板の開口予定位置に、蓋部が表面側と裏面側の２本の近接する平行な半切れ線からなる段差半切れ線で開口及び開閉可能に設けられたトップオープン型紙箱において、段差半切れ線の外側の半切れ線を、連続半切れ線で表面側に設け、また、内側の半切れ線を、破線半切れ線で裏面側に設ける。【選択図】図１
2006151464.tif 000002
【特許請求の範囲】
【請求項１】
方形の紙箱であって、前側面外板に開封用摘み片を破断可能な破線切込み線で形成し、開封用摘み片の輪郭線の上方左右両端から上面板に延設して、上面板の開口予定位置に、蓋部が表面側と裏面側の２本の近接する平行な半切れ線からなる段差半切れ線で開口可能に設けられたトップオープン型紙箱において、２本の段差半切れ線の少なくとも一方を破線状半切れ線で設けたことを特徴とするトップオープン型紙箱。
【発明の詳細な説明】
【技術分野】
【０００１】
本発明は、ガム、クッキー、チョコレートなどの収納する内容物を取り出すときに、上面板に段差半切れ線で設けられている蓋部を開口して使用するトップオープン型紙箱に関するものである。
【背景技術】
【０００２】
従来、トップオープン型紙箱は、前側面外板に開封用摘み片を破断可能な破線切込み線で形成し、開封用摘み片の輪郭線の上方左右両端から上面板に延設して、上面板の開口予定位置に、蓋部が表面側と裏面側の２本の近接する平行な半切れ線（切込み刃を板紙の厚みのほぼ中心位置まで入れる）からなる段差半切れ線で設けられるか、または、段差線の外側を表面からの半切れ線にし、内側をミシン目線にした段差半切れミシン目線（例えば、特許文献１参照）が知られていた。なお、開封するときには、前方の側面板に形成されている開封用摘み片を指で摘んで引き上げると、２本の半切込み線間又は切込み線とミシン目線間の繋ぎが破断し、更に開封用摘み片を引き上げると、例えば図２に示すように、上面板（１２０）の蓋部（１２４）を形成する表面側と裏面側の２本の半切れ線間又は切込み線とミシン目線間の板紙が、層間剥離して、段差半切れ線（１２１）又は段差半切れミシン目線が破断して、上面板の蓋部が開口し、紙箱が開封するものであった。
【特許文献１】実開昭５２−４９０２５号公報
【発明の開示】
【発明が解決しようとする課題】
【０００３】
しかしながら、従来のトップオープン型紙箱の上面板（１２０）に蓋部を形成する前者の段差半切れ線（１２１）は、図５（ａ）に示すように、両側の半切れ線（１２２，１２３）が深く入り過ぎると、半切れ線間の板紙の剥離強度が弱くなり、製箱工程や流通過程で、半切れ線間の板紙が層間剥離することがあり、また、図５（ｂ）に示すように、段差半切れ線（１２１）の近傍に折り線を形成するために押し罫（２００）で押圧したときに、２本の半切れ線（１２２，１２３）間の板紙が引っ張られて剥離強度が弱くなり、打抜き工程で、半切れ線間の板紙が層間剥離することがあった。また、図５（ｃ）に示すように、両側の２本の半切れ線（１２２，１２３）間が狭過ぎると、半切れ線間の板紙の剥離強度が弱くなり、製箱工程や流通過程で、半切れ線間の板紙が層間剥離することがあった。また、後者の段差半切れミシン目線は、片方がミシン目線であり、半切れ線とミシン目線間の板紙が層間剥離しにくいことがあり、上面板の蓋部がうまく開口しにくいことなどがあった。
【０００４】
本発明は、上述の従来のトップオープン型紙箱の問題点を解決したものであり、紙箱の上面の蓋部を形成する段差半切れ線の半切れ線間が、製箱工程や流通過程で層間剥離しにくく、半切れ線の近傍に折り線が形成されても、打抜き工程や製箱工程で段差半切れ線の半切れ線間が層間剥離しにくく、また、紙箱を開封するときの蓋部の開封力を使用目的に合わせて設定しやすいトップオープン型紙箱を提供するものである。
【課題を解決するための手段】
【０００５】
すなわち、本発明の発明は、方形の紙箱であって、前側面外板に開封用摘み片を破断可能な破線切込み線で形成し、開封用摘み片の輪郭線の上方左右両端から上面板に延設して、上面板の開口予定位置に、蓋部が表面側と裏面側の２本の近接する平行な半切れ線からなる段差半切れ線で開口可能に設けられたトップオープン型紙箱において、２本の段差半切れ線の少なくとも一方を破線状半切れ線で設けたことを特徴とするトップオープン型紙
箱である。
【発明の効果】
【０００６】
本発明のトップオープン型紙箱は、上面板の開口予定位置に蓋部を形成する段差半切れ線の少なくとも一方に形成する半切れ線が、従来のトップオープン型紙箱のように連続する半切れ線ではなく、繋ぎをもつ破線状半切れ線であり、半切れ線間の板紙の剥離強度が強くなる。このため、製箱工程や流通過程で、段差半切れ線の半切れ線間の板紙が層間剥離しにくい。
【０００７】
また、本発明のトップオープン型紙箱は、上述したように、段差半切れ線の半切れ線間の板紙が層間剥離しにくいため、半切れ線の近傍に、押し罫で押圧されて折り線が形成されても、打抜き工程や製箱工程で、段差半切れ線の半切れ線間が層間剥離しにくい。
【０００８】
また、本発明のトップオープン型紙箱は、段差半切れ線の少なくとも一方に形成する半切れ線部分の長さに対する破線状半切れ線の繋ぎ部分の長さの比率を変えることにより、紙箱を開封するときの蓋部の開封力を変えることができるため、蓋部の開封力を、紙箱の使用目的に合わせた開封力に設定することが可能である。
【発明を実施するための最良の形態】
【０００９】
本発明のトップオープン型紙箱の実施の形態としては、板紙を基材とし、上面板、四方の側面板、下面板とからなる方形の紙箱であり、図１に示すように、前側面外板（１１０）に開封用摘み片（１１２）を破断可能な破線切込み線（１１１）で形成し、この開封用摘み片の輪郭線の上方左右両端から上面板（１２０）に延設して、上面板の開口予定位置に、蓋部（１２４）が表面側と裏面側の２本の近接する平行な半切れ線からなる段差半切れ線（１２１）で開口及び開閉可能に設けられたトップオープン型紙箱（１０）であり、図１（ｂ）に示すように、段差半切れ線（１２１）の外側の半切れ線を、連続半切れ線（１２２）で表面側に設け、内側の半切れ線を、破線状半切れ線（１２３）で裏面側に設けたものである。なお、破線状半切れ線は表面側に設けてもよく、表裏両方を破線状半切れ線にしてもよい。
【００１０】
そして、紙箱を開封するときには、前方の側面板に形成されている開封用摘み片を引き上げ、切込み線間の繋ぎが破断し、更に開封用摘み片を引き上げて、図４に示すように、上面板（１２０）の蓋部（１２４）を形成する表面側の連続半切れ線と裏面側の破線状半切れ線間の板紙を層間剥離させて、図２に示すように、上面板（１２０）の蓋部（１２４）を開口（１２５）して紙箱を開封するものである。
【実施例】
【００１１】
＜実施例１＞
まず、実施例１のトップオープン型紙箱のブランクを打抜き加工により作製した。このブランク（１００）は、坪量３１０ｇ／ｍ2 の板紙を基材とし、図３に示すように、前側面外板（１１０）、上面板（１２０）、裏側面板（１３０）、下面板（１４０）、前側面内板（１５０）、折込み片（１５３）が折り目線を介して順次連設し、上面板（１２０）の両側に左側面外板（１８０）及び右側面外板（１９０）を折り目線を介して連設し、裏側面板（１３０）の両側に左差込み片（１３１）及び右差込み片（１３２）を折り目線を介して連設し、下面板（１４０）の両側に左側面内板（１６０）及び右側面内板（１７０）を折り目線を介して連設し、前側面内板（１５０）の両側に左差込み片（１５１）及び右差込み片（１５２）を折り目線を介して連設するものである。そして、前側面内板（１１０）に下向きの三角形状の開封用摘み片（１１２）を破断可能な破線切込み線（１１１）で形成し、この開封用摘み片の輪郭線の上方左右両端から上面板（１２０）に後方端へ延設して、外側が表面側から設ける連続半切れ線（１２２）で、内側が裏面側から設ける
切れ目の長さが０．３５ｍｍで繋ぎの長さが０．１５ｍｍの破線半切れ線（１２３）である段差半切れ線（１２１）により、上面板の開口予定位置に、蓋部（１２４）を開口及び開閉可能に設けたものである。なお、表裏の半切れ線間の幅は、３ｍｍであり、また、破線の半切れ線の切れ目の長さに対する繋ぎの長さの比率は、０．４２である。なお、前側面外板（１１０）の開封用摘み片（１１２）の三角形状の頂点内側近傍位置に再封用引掛け（１１３）を切込み線で形成し、また、この再封用引掛け（１１３）に対応させて前側面内板（１５０）に再封用切込み（１５４）を設けるものである。
【００１２】
そして、ブランクは、製箱、内容物収納、封止するものであるが、前側面内板上に前側面外板を、破線切込み線で形成されている前側面外板の開封用摘み片が開封可能に貼着するものである。
【００１３】
＜実施例２＞
実施例２のトップオープン型紙箱のブランクは、実施例１と同様に作製したものであるが、開封用摘み片の輪郭線の上方左右両端から上面板に後方端へ延設して、上面板の開口予定位置に、蓋部を開口及び開閉可能に設ける段差半切れ線が、外側が表面側から設ける連続半切れ線で、内側が裏面側から設ける切れ目長さが０．３５ｍｍで繋ぎの長さが０．２３ｍｍの破線半切れ線である。なお、表裏の半切れ線間の幅は、３ｍｍであり、また、破線の半切れ線の切れ目の長さに対する繋ぎの長さの比率は、０．６５である。
【００１４】
＜比較例＞
現状品である比較例のトップオープン型紙箱のブランクは、実施例１及び実施例２と同様に作製したものであるが、開封用摘み片の輪郭線の上方左右両端から上面板に後方端へ延設して、上面板の開口予定位置に、蓋部を開口及び開閉可能に設ける段差半切れ線が、外側が表面側から設ける連続半切れ線で、内側が裏面側から設ける連続半切れ線である。なお、表裏の半切れ線間の幅は、３ｍｍである。
【００１５】
＜評  価＞
上述の実施例１、実施例２及び比較例のトップオープン型紙箱の上面板に設けた段差半切れ線の半切れ線間の剥離強度を測定した。測定方法は、プッシュブルゲージ（アイコーエンジニアリング株式会社製  ＭＯＤＥＬ−１３５６）を用い、表面側の半切れ線から７ｍｍの位置、つまり裏面側の半切れ線から１０ｍｍの位置に、直径が１０ｍｍの棒を当てて、８０ｍｍ／分の速度で押圧し、半切れ線間が剥離するときの強度を求めた。その測定結果を表１に示す。
【００１６】
【表１】
2006151464.tif 000003
測定結果の表１に記載されているように、段差半切れ線の半切れ線間の剥離強度は、比較例のトップオープン型紙箱に比較して、実施例１及び実施例のトップオープン型紙箱の方が強く、半切れ線間が剥離しにくいことを示していた。また、強度のバラツキが小さく安定していた。なお、開封したときの抵抗感には、多少の異なりがみられるが、いずれも実用上においては、上面板に段差半切れ線で設けられた蓋部が、良好に開口された。
【図面の簡単な説明】
【００１７】
【図１】（ａ）は、本発明の一実施形態のトップオープン型紙箱の斜視図であり、（ｂ）は、そのＡ−Ａ’断面図である。
【図２】図１のトップオープン型紙箱の上面板に段差半切れ線で設けられた蓋部を開口したときの斜視図である。
【図３】実施例のトップオープン型紙箱のブランクの外側面からみた展開平面図である。
【図４】上面板に段差半切れ線で設けられた蓋部を開口したときの状態を示す説明図である。
【図５】（ａ）は、段差半切れ線の両側の半切れ線が深く入り過ぎたときの状態を示めす説明図であり、（ｂ）は、半切れ線の近傍に折り線を形成するために押し罫で押圧したときの状態を示めす説明図であり、（ｃ）は、両側の半切れ線間が狭過ぎるときの状態を示めす説明図である。
【符号の説明】
【００１８】
１０……トップオープン型紙箱
１００……ブランク
１１０……前側面外板
１１１……破線切込み線
１１２……開封用摘み片
１１３……再封用引掛け
１２０……上面板
１２１……段差半切れ線
１２２……連続半切れ線
１２３……破線状半切れ線
１２４……蓋部
１２５……開口
１３０……裏側面板
１３１，１５１……左差込み片
１３２，１５２……右差込み片
１４０……下面板
１５０……前側面内板
１５３……折込み片
１５４……再封用切込み
１６０……左側面内板
１７０……右側面内板
１８０……左側面外板
１９０……右側面外板
２００……押し罫
【図１】
2006151464.tif 000004
【図２】
2006151464.tif 000005
【図３】
2006151464.tif 000006
【図４】
2006151464.tif 000007
【図５】
2006151464.tif 000008